(57)【要約】      （修正有）【課題】第１の電気設備及び第２の電気設備を備える洗面化粧台において、各電気設備の状態を制御するための新規な手法を開示すること。【解決手段】洗面化粧台の制御部は、不存在状態から存在状態への変化が検知されてから、存在状態から不存在状態への変化が検知されることなく、第１の所定時間が経過する場合に、第１の電気設備の状態を、第１の状態から、第１の状態よりも消費電力が高い第２の状態に切り替え、不存在状態から存在状態への変化が検知されてから第１の所定時間が経過する前に、存在状態から不存在状態への変化が検知される場合に、第１の電気設備の状態を第１の状態に維持してもよい。制御部は、不存在状態から存在状態への変化が検知される場合に、第１の所定時間が経過する前に、第２の電気設備の状態を、第３の状態から、第３の状態よりも消費電力が高い第４の状態に切り替えてもよい。【選択図】図５
2020146075.tif 000002
【特許請求の範囲】
【請求項１】
洗面化粧台であって、
第１の電気設備と、
前記第１の電気設備とは異なる第２の電気設備と、
制御部と、
前記洗面化粧台の前方の状態を示す状態情報を前記制御部に供給する供給部と、を備え
、
前記制御部は、
前記洗面化粧台の前方の状態が、ヒトが前記洗面化粧台の前方に存在しない不存在状
態と、前記ヒトが前記洗面化粧台の前方に存在する存在状態と、の間で変化することを、
前記状態情報を利用して検知する検知部と、
前記第１の電気設備の状態を、第１の状態と、前記第１の状態よりも消費電力が高い
第２の状態と、を含む複数個の状態の間で制御する第１の状態制御部と、
前記第２の電気設備の状態を、第３の状態と、前記第３の状態よりも消費電力が高い
第４の状態と、を含む複数個の状態の間で制御する第２の状態制御部と、を備え、
前記第１の状態制御部は、
前記第１の電気設備の状態が前記第１の状態である状況において、前記不存在状態か
ら前記存在状態への変化が検知されてから、前記存在状態から前記不存在状態への変化が
検知されることなく、第１の所定時間が経過する場合に、前記第１の電気設備の状態を前
記第１の状態から前記第２の状態に切り替え、
前記第１の電気設備の状態が前記第１の状態である状況において、前記不存在状態か
ら前記存在状態への変化が検知されてから前記第１の所定時間が経過する前に、前記存在
状態から前記不存在状態への変化が検知される場合に、前記第１の電気設備の状態を前記
第１の状態に維持し、
前記第２の状態制御部は、
前記第２の電気設備の状態が前記第３の状態である状況において、前記不存在状態か
ら前記存在状態への変化が検知される場合に、前記第１の所定時間が経過する前に、前記
第２の電気設備の状態を前記第３の状態から前記第４の状態に切り替える、洗面化粧台。
【請求項２】
前記第１の状態制御部は、さらに、
前記第１の電気設備の状態が前記第１の状態から前記第２の状態に切り替えられた後に
、前記存在状態から前記不存在状態への変化が検知され、かつ、前記存在状態から前記不
存在状態への変化が検知されてから第２の所定時間が経過する場合に、前記第１の電気設
備の状態を前記第２の状態から前記第１の状態に切り替え、
前記第２の状態制御部は、さらに、
前記第２の電気設備の状態が前記第３の状態から前記第４の状態に切り替えられた後
に、前記存在状態から前記不存在状態への変化が検知され、かつ、前記存在状態から前記
不存在状態への変化が検知されてから前記第２の所定時間が経過する場合に、前記第２の
電気設備の状態を前記第４の状態から前記第３の状態に切り替える、請求項１に記載の洗
面化粧台。
【請求項３】
前記制御部は、さらに、
第１種の設定値を記憶するメモリを備え、
前記第１の状態制御部は、
前記第１の電気設備の状態が前記第１の状態である状況において、前記不存在状態か
ら前記存在状態への変化が検知されてから、前記存在状態から前記不存在状態への変化が
検知されることなく、前記第１の所定時間が経過し、かつ、前記メモリが前記第１種の設
定値として第１の値を記憶している場合に、前記第１の電気設備の状態を前記第１の状態
から前記第２の状態に切り替え、
前記第１の電気設備の状態が前記第１の状態である状況において、前記不存在状態か
ら前記存在状態への変化が検知されてから、前記存在状態から前記不存在状態への変化が
検知されることなく、前記第１の所定時間が経過し、かつ、前記メモリが前記第１種の設
定値として前記第１の値とは異なる第２の値を記憶している場合に、前記第１の電気設備
の状態を前記第１の状態に維持する、請求項１又は２に記載の洗面化粧台。
【請求項４】
前記制御部は、さらに、
第２種の設定値を記憶するメモリを備え、
前記第２の状態制御部は、
前記第２の電気設備の状態が前記第３の状態である状況において、前記不存在状態か
ら前記存在状態への変化が検知され、かつ、前記メモリが前記第２種の設定値として第３
の値を記憶している場合に、前記第１の所定時間が経過する前に、前記第２の電気設備の
状態を前記第３の状態から前記第４の状態に切り替え、
前記第２の電気設備の状態が前記第３の状態である状況において、前記不存在状態か
ら前記存在状態への変化が検知され、かつ、前記メモリが前記第２種の設定値として前記
第３の値とは異なる第４の値を記憶している場合に、少なくとも前記第１の所定時間が経
過するまで、前記第２の電気設備の状態を前記第３の状態に維持する、請求項１から３の
いずれか一項に記載の洗面化粧台。
【請求項５】
前記洗面化粧台は、さらに、
前記洗面化粧台の周囲の照度を検出する照度センサを備え、
前記第２の状態制御部は、
前記第２の電気設備の状態が前記第３の状態である状況において、前記不存在状態か
ら前記存在状態への変化が検知され、かつ、前記照度センサによって検出される前記照度
である検出照度が所定照度よりも低い場合に、前記第１の所定時間が経過する前に、前記
第２の電気設備の状態を前記第３の状態から前記第４の状態に切り替え、
前記第２の電気設備の状態が前記第３の状態である状況において、前記不存在状態か
ら前記存在状態への変化が検知され、かつ、前記検出照度が前記所定照度よりも高い場合
に、少なくとも前記第１の所定時間が経過するまで、前記第２の電気設備の状態を前記第
３の状態に維持する、請求項１から４のいずれか一項に記載の洗面化粧台。
【請求項６】
前記第２の状態制御部は、
前記第２の電気設備の状態が前記第３の状態である状況において、前記不存在状態か
ら前記存在状態への変化が検知され、かつ、現在時刻が所定時間帯に含まれる場合に、前
記第１の所定時間が経過する前に、前記第２の電気設備の状態を前記第３の状態から前記
第４の状態に切り替え、
前記第２の電気設備の状態が前記第３の状態である状況において、前記不存在状態か
ら前記存在状態への変化が検知され、かつ、現在時刻が前記所定時間帯に含まれない場合
に、少なくとも前記第１の所定時間が経過するまで、前記第２の電気設備の状態を前記第
３の状態に維持する、請求項１から５のいずれか一項に記載の洗面化粧台。
【請求項７】
洗面化粧台であって、
第１の電気設備と、
前記第１の電気設備とは異なる第２の電気設備と、
制御部と、
前記洗面化粧台の前方の状態を示す状態情報を前記制御部に供給する供給部と、を備え
、
前記制御部は、
前記洗面化粧台の前方の状態が、ヒトが前記洗面化粧台の前方に存在しない不存在状
態と、前記ヒトが前記洗面化粧台の前方に存在する存在状態と、の間で変化することを、
前記状態情報を利用して検知する検知部と、
前記不存在状態から前記存在状態への変化が検知される場合に、前記ヒトが前記洗面
化粧台の前方に立ち止まったのか前記洗面化粧台の前方を通過したのかを、前記状態情報
を利用して判断する判断部と、
前記第１の電気設備の状態を、第１の状態と、前記第１の状態よりも消費電力が高い
第２の状態と、を含む複数個の状態の間で制御する第１の状態制御部と、
前記第２の電気設備の状態を、第３の状態と、前記第３の状態よりも消費電力が高い
第４の状態と、を含む複数個の状態の間で制御する第２の状態制御部と、を備え、
前記第１の状態制御部は、
前記第１の電気設備の状態が前記第１の状態である状況において、前記ヒトが立ち止
まったと判断される場合に、前記第１の電気設備の状態を前記第１の状態から前記第２の
状態に切り替え、
前記第１の電気設備の状態が前記第１の状態である状況において、前記ヒトが通過し
たと判断される場合に、前記第１の電気設備の状態を前記第１の状態に維持し、
前記第２の状態制御部は、
前記第２の電気設備の状態が前記第３の状態である状況において、前記不存在状態か
ら前記存在状態への変化が検知される場合に、前記ヒトが立ち止まるのか通過するのかに
関わらず、前記第２の電気設備の状態を前記第３の状態から前記第４の状態に切り替える
、洗面化粧台。
【請求項８】
前記第２の状態制御部は、
前記第２の電気設備の状態が前記第３の状態である状況において、前記不存在状態か
ら前記存在状態への変化が検知される場合に、前記ヒトが立ち止まったのか通過したのか
に関する前記判断が実行される前に、前記第２の電気設備の状態を前記第３の状態から前
記第４の状態に切り替える、請求項７に記載の洗面化粧台。
【請求項９】
前記第２の状態制御部は、
前記第２の電気設備の状態が前記第３の状態である状況において、前記不存在状態か
ら前記存在状態への変化が検知され、かつ、前記ヒトが立ち止まったと判断される場合に
、前記第２の電気設備の状態を前記第３の状態から前記第４の状態に切り替え、
前記第２の電気設備の状態が前記第３の状態である状況において、前記不存在状態か
ら前記存在状態への変化が検知され、かつ、前記ヒトが通過したと判断される場合に、前
記第２の電気設備の状態を前記第３の状態から前記第４の状態に切り替える、請求項７に
記載の洗面化粧台。
【請求項１０】
前記第１の電気設備は、第１の照明であり、
前記第２の電気設備は、前記第１の照明とは異なる第２の照明である、請求項１から９
のいずれか一項に記載の洗面化粧台。
【請求項１１】
前記第１の電気設備は、ディスプレイモニター機能付ミラーであり、
前記第２の電気設備は、照明である、請求項１から９のいずれか一項に記載の洗面化粧
台。
【発明の詳細な説明】
【技術分野】
【０００１】
本明細書は、電気設備を備える洗面化粧台を開示する。
【背景技術】
【０００２】
特許文献１には、照明と人体検知センサと制御部とを備える洗面器装置が開示されてい
る。制御部は、人体検知センサからの出力信号に基づいて人体の有無を判断し、人体有り
と判断すると照明をＯＮし、人体無しと判断すると照明をＯＦＦする。
【先行技術文献】
【特許文献】
【０００３】
【特許文献１】特開２００３−２４２２５号公報
【発明の概要】
【発明が解決しようとする課題】
【０００４】
特許文献１には、複数個の照明のそれぞれを独立して制御することについて開示されて
いない。本明細書では、第１の電気設備と第２の電気設備とを備える洗面化粧台において
、各電気設備の状態を制御するための新規な手法を開示する。
【課題を解決するための手段】
【０００５】
本明細書によって開示される一つの洗面化粧台は、第１の電気設備と、前記第１の電気
設備とは異なる第２の電気設備と、制御部と、前記洗面化粧台の前方の状態を示す状態情
報を前記制御部に供給する供給部と、を備えてもよい。前記制御部は、前記洗面化粧台の
前方の状態が、ヒトが前記洗面化粧台の前方に存在しない不存在状態と、前記ヒトが前記
洗面化粧台の前方に存在する存在状態と、の間で変化することを、前記状態情報を利用し
て検知する検知部と、前記第１の電気設備の状態を、第１の状態と、前記第１の状態より
も消費電力が高い第２の状態と、を含む複数個の状態の間で制御する第１の状態制御部と
、前記第２の電気設備の状態を、第３の状態と、前記第３の状態よりも消費電力が高い第
４の状態と、を含む複数個の状態の間で制御する第２の状態制御部と、を備えてもよい。
前記第１の状態制御部は、前記第１の電気設備の状態が前記第１の状態である状況におい
て、前記不存在状態から前記存在状態への変化が検知されてから、前記存在状態から前記
不存在状態への変化が検知されることなく、第１の所定時間が経過する場合に、前記第１
の電気設備の状態を前記第１の状態から前記第２の状態に切り替え、前記第１の電気設備
の状態が前記第１の状態である状況において、前記不存在状態から前記存在状態への変化
が検知されてから前記第１の所定時間が経過する前に、前記存在状態から前記不存在状態
への変化が検知される場合に、前記第１の電気設備の状態を前記第１の状態に維持しても
よい。前記第２の状態制御部は、前記第２の電気設備の状態が前記第３の状態である状況
において、前記不存在状態から前記存在状態への変化が検知される場合に、前記第１の所
定時間が経過する前に、前記第２の電気設備の状態を前記第３の状態から前記第４の状態
に切り替えてもよい。
【０００６】
本明細書によって開示される他の洗面化粧台の制御部は、前記洗面化粧台の前方の状態
が、ヒトが前記洗面化粧台の前方に存在しない不存在状態と、前記ヒトが前記洗面化粧台
の前方に存在する存在状態と、の間で変化することを、前記状態情報を利用して検知する
検知部と、前記不存在状態から前記存在状態への変化が検知される場合に、前記ヒトが前
記洗面化粧台の前方に立ち止まったのか前記洗面化粧台の前方を通過したのかを、前記状
態情報を利用して判断する判断部と、前記第１の電気設備の状態を、第１の状態と、前記
第１の状態よりも消費電力が高い第２の状態と、を含む複数個の状態の間で制御する第１
の状態制御部と、前記第２の電気設備の状態を、第３の状態と、前記第３の状態よりも消
費電力が高い第４の状態と、を含む複数個の状態の間で制御する第２の状態制御部と、を
備えてもよい。前記第１の状態制御部は、前記第１の電気設備の状態が前記第１の状態で
ある状況において、前記ヒトが立ち止まったと判断される場合に、前記第１の電気設備の
状態を前記第１の状態から前記第２の状態に切り替え、前記第１の電気設備の状態が前記
第１の状態である状況において、前記ヒトが通過したと判断される場合に、前記第１の電
気設備の状態を前記第１の状態に維持してもよい。前記第２の状態制御部は、前記第２の
電気設備の状態が前記第３の状態である状況において、前記不存在状態から前記存在状態
への変化が検知される場合に、前記ヒトが立ち止まるのか通過するのかに関わらず、前記
第２の電気設備の状態を前記第３の状態から前記第４の状態に切り替えてもよい。
【０００７】
上記の洗面化粧台の制御部によって実行される制御方法、当該制御部を実現するための
コンピュータプログラム、及び、当該コンピュータプログラムを格納するコンピュータ読
取可能記録媒体も、新規で有用である。
【図面の簡単な説明】
【０００８】
【図１】洗面化粧台の斜視図を示す。
【図２】洗面化粧台の正面図を示す。
【図３】洗面化粧台の制御構成を示す。
【図４】照明制御処理のフローチャートを示す。
【図５】第１実施形態の自動点灯制御処理のフローチャートを示す。
【図６】各実施形態における制御をまとめたテーブルを示す。
【図７】第２実施形態の自動点灯制御処理のフローチャートを示す。
【図８】第３実施形態の自動点灯制御処理のフローチャートを示す。
【図９】第４〜第６実施形態の自動点灯制御処理のフローチャートを示す。
【図１０】第７実施形態の自動点灯制御処理のフローチャートを示す。
【発明を実施するための形態】
【０００９】
（第１実施形態）
（洗面化粧台２の外観構成；図１）
図１に示されるように、洗面化粧台２は、洗面台１０とミラーキャビネット５０と照明
スイッチ１１０とを備える。ミラーキャビネット５０は、洗面台１０の上方に配置されて
いる。照明スイッチ１１０は、洗面台１０及びミラーキャビネット５０の近傍の壁に配置
されている。なお、図中に前後左右が記述されているように、本実施形態では、洗面化粧
台２から前方を向いた際の左右方向を洗面化粧台２の左右方向として説明する。
【００１０】
洗面台１０は、洗面ボウル１２と水栓１４とハンドル１６とを備える。ハンドル１６が
ヒト（即ちユーザ）によって操作されると、水が水栓１４から洗面ボウル１２に供給され
る。
【００１１】
ミラーキャビネット５０は、本体５２と、３個のミラー６０，６２，７０と、４個の照
明８０，８２，８４，９０と、焦電センサ１００と、を備える。本体５２は、ミラーキャ
ビネット５０の枠を構成する。右サイドミラー６０、左サイドミラー６２は、それぞれ、
軸Ｃ１、軸Ｃ２を回転中心として開閉可能に本体５２に取り付けられる。中央ミラー７０
は、各サイドミラー６０，６２の間において本体５２に固定されている。
【００１２】
上部照明８０は、中央ミラー７０の上方において本体５２に固定されている。上部照明
８０は、ヒトの上方からヒトを照らすための照明である。右フェイスフル照明８２は、右
サイドミラー６０と中央ミラー７０との間において本体５２に固定されている。左フェイ
スフル照明８４は、左サイドミラー６２と中央ミラー７０との間において本体５２に固定
されている。なお、各フェイスフル照明８２，８４は、フェイスフルライト（登録商標）
と同義である。各フェイスフル照明８２，８４は、主に、ヒトの顔を照らすための照明で
ある。以下では、上部照明８０及びフェイスフル照明８２，８４を合わせて「メイン照明
８０〜８４」と記載することがある。下部照明９０は、中央ミラー７０の下端部の後方に
おいて本体５２に固定されている。下部照明９０は、主に、ハンドル１６を操作するヒト
の手元を照らすための照明である。
【００１３】
焦電センサ１００は、中央ミラー７０の下端部の中央に固定されている。焦電センサ１
００は、ヒトから放出される赤外線を受光するとセンサ値ＯＮを出力することが可能であ
る人感センサである。焦電センサ１００が赤外線を受光可能な距離Ｌは、例えば、２メー
トルである。図２は、焦電センサ１００が赤外線を受光可能な範囲Ｒを示す。焦電センサ
１００は、ヒトが距離Ｌ以内かつ範囲Ｒ内に存在する場合、即ち、洗面化粧台２の前方に
ヒトが存在する場合には、センサ値ＯＮを出力する。焦電センサ１００は、ヒトが距離Ｌ
以内に存在しても範囲Ｒ外に存在する場合、即ち、洗面化粧台２の前方にヒトが存在しな
い場合には、センサ値ＯＦＦを出力する。
【００１４】
照明スイッチ１１０は、各照明８０〜９０を点灯状態と消灯状態との間で切り替えるた
めのスイッチである。本実施形態では、照明スイッチ１１０がＯＦＦ状態である場合には
全ての照明８０〜９０が消灯状態に制御され、照明スイッチ１１０がＯＮ状態である場合
には全ての照明８０〜９０が点灯状態に制御される。ただし、変形例では、照明スイッチ
１１０は、各照明８０〜９０のうちの一部の照明（例えばメイン照明８０〜８４）の状態
を切り替えるための第１のスイッチと、残りの照明（例えば下部照明９０）の状態を切り
替えるための第２のスイッチと、を備えていてもよい。
【００１５】
（洗面化粧台２の制御構成；図３）
図３に示されるように、洗面化粧台２は、さらに、上記の各部８０〜１１０に加えて、
制御部１３０を備える。各部８０〜１３０は、バス線等の制御線によって相互に接続され
ている。焦電センサ１００は、センサ値を制御線に出力することによって、制御線を介し
てセンサ値を制御部１３０に供給する。
【００１６】
制御部１３０は、ＣＰＵ１３２とメモリ１３４とを備える。ＣＰＵ１３２は、メモリ１
３４に記憶されているプログラム１３６に従って、各照明８０〜９０の状態を制御する。
ＣＰＵ１３２は、図示省略の電源から各照明８０〜９０への電力供給を開始することによ
って、各照明８０〜９０を消灯状態から点灯状態に切り替える。また、ＣＰＵ１３２は、
電源から各照明８０〜９０への電力供給を停止することによって、各照明８０〜９０を点
灯状態から消灯状態に切り替える。
【００１７】
また、ＣＰＵ１３２は、焦電センサ１００から供給されるセンサ値の変化を監視するこ
とによって、洗面化粧台２の前方の状態の変化を検知する。具体的には、ＣＰＵ１３２は
、センサ値がＯＦＦからＯＮに変化する場合には、洗面化粧台２の前方の状態が、ヒトが
洗面化粧台２の前方に存在しない状態（以下では「不存在状態」と呼ぶ）から、ヒトが洗
面化粧台２の前方に存在する状態（以下では「存在状態」と呼ぶ）に変化したことを検知
する。また、ＣＰＵ１３２は、センサ値がＯＮからＯＦＦに変化する場合には、洗面化粧
台２の前方の状態が存在状態から不存在状態に変化したことを検知する。そして、ＣＰＵ
１３２は、洗面化粧台２の前方の状態が存在状態と不存在状態との間で変化することを検
知する場合に、照明スイッチ１１０の切り替えがなくても、各照明８０〜９０の状態を自
動的に変えることができる。
【００１８】
メモリ１３４は、揮発性メモリ、不揮発性メモリ等によって構成されている。メモリ１
３４は、プログラム１３６に加えて、タイマ１３８を備える。
【００１９】
（照明制御処理；図４）
続いて、図４を参照して、ＣＰＵ１３２がプログラム１３６に従って実行する照明制御
処理の内容を説明する。
【００２０】
ＣＰＵ１３２は、照明スイッチ１１０がＯＦＦ状態である場合に、Ｓ１０において、照
明スイッチ１１０がＯＦＦ状態からＯＮ状態に切り替えられることを監視する。ＣＰＵ１
３２は、照明スイッチ１１０がＯＮ状態に切り替えられたと判断する場合（Ｓ１０でＹＥ
Ｓ）に、Ｓ１２に進む。
【００２１】
Ｓ１２では、ＣＰＵ１３２は、メイン照明８０〜８４（即ち上部照明８０及びフェイス
フル照明８２，８４）を消灯状態から点灯状態に切り替える。
【００２２】
Ｓ１４では、ＣＰＵ１３２は、下部照明９０を消灯状態から点灯状態に切り替える。Ｓ
１２及びＳ１４の間の時間は極めて短時間であり、全ての照明８０〜９０は同時的に点灯
状態に切り替えられる。後述のフローチャートでも、点灯状態に切り替える処理が連続す
る場合（例えば図７のＳ１１２及びＳ１１４）は同様である。
【００２３】
Ｓ２０では、ＣＰＵ１３２は、照明スイッチ１１０がＯＮ状態からＯＦＦ状態に切り替
えられることを監視する。ＣＰＵ１３２は、照明スイッチ１１０がＯＦＦ状態に切り替え
られたと判断する場合（Ｓ２０でＹＥＳ）に、Ｓ２２に進む。
【００２４】
Ｓ２２では、ＣＰＵ１３２は、メイン照明８０〜８４を点灯状態から消灯状態に切り替
える。
【００２５】
Ｓ２４では、ＣＰＵ１３２は、下部照明９０を点灯状態から消灯状態に切り替える。Ｓ
２２及びＳ２４の間の時間は極めて短時間であり、全ての照明８０〜９０は同時的に消灯
状態に切り替えられる。後述のフローチャートでも、消灯状態に切り替える処理が連続す
る場合（例えば図５のＳ１３２及びＳ１３４）は同様である。Ｓ２４が終了すると、Ｓ１
０に戻る。
【００２６】
また、ＣＰＵ１３２は、Ｓ１０の監視処理と並行して、Ｓ３０において、焦電センサ１
００から供給されるセンサ値がＯＦＦからＯＮに変化することを監視する。ＣＰＵ１３２
は、センサ値がＯＮに変化したと判断する場合（Ｓ３０でＹＥＳ）、即ち、不存在状態か
ら存在状態への変化を検知する場合に、Ｓ３２に進む。
【００２７】
Ｓ３２では、ＣＰＵ１３２は、自動点灯制御処理（図５参照）を実行する。当該処理は
、照明スイッチ１１０がＯＮ状態に切り替えられなくても、各照明８０〜９０を自動的に
点灯状態に切り替えるための処理である。Ｓ３２が終了すると、Ｓ１０に戻る。
【００２８】
（自動点灯制御処理；図５）
続いて、図５を参照して、図４のＳ３２の自動点灯制御処理の内容を説明する。Ｓ１０
０では、ＣＰＵ１３２は、下部照明９０を消灯状態から点灯状態に切り替える。即ち、Ｃ
ＰＵ１３２は、図４のＳ３０で不存在状態から存在状態への変化が検知された直後に、下
部照明９０を点灯状態に切り替える。ただし、この段階では、メイン照明８０〜８４は消
灯状態に維持される。
【００２９】
図示省略しているが、Ｓ１００が実行された後であってＳ１１０が実行される前に、Ｃ
ＰＵ１３２は、タイマ１３８のリセット及びスタートを実行する。そして、Ｓ１１０では
、ＣＰＵ１３２は、タイマ１３８の値が第１の所定時間に到達することを監視する。即ち
、ＣＰＵ１３２は、不存在状態から存在状態への変化が検出されてから第１の所定時間が
経過することを監視する。また、ＣＰＵ１３２は、Ｓ１１０の監視処理と並行して、Ｓ１
５０において、焦電センサ１００から供給されるセンサ値がＯＮからＯＦＦに変化するこ
とを監視する。
【００３０】
Ｓ１１０の第１の所定時間は、ヒトが、洗面化粧台２の前方に立ち止まったのか、洗面
化粧台２の前方を通過したのか、を判断可能な時間に設定される。本実施形態では、第１
の所定時間は１秒である。ただし、変形例では、第１の所定時間は、１秒とは異なる時間
（例えば０．５秒、２秒等）であってもよい。センサ値がＯＦＦに変化することなく（即
ち、存在状態から不存在状態への変化が検知されることなく）、第１の所定時間が経過す
るということは、ヒトが洗面化粧台２の前方に立ち止まったことを意味する。一方、第１
の所定時間が経過する前に、センサ値がＯＦＦに変化する（即ち、存在状態から不存在状
態への変化が検知される）ということは、ヒトが洗面化粧台２の前方を通過したことを意
味する。即ち、ＣＰＵ１３２は、Ｓ１１０及びＳ１５０の監視処理を実行することによっ
て、ヒトが、洗面化粧台２の前方に立ち止まったのか（Ｓ１１０でＹＥＳ）、洗面化粧台
２の前方を通過したのか（Ｓ１５０でＹＥＳ）、を判断することができる。
【００３１】
ＣＰＵ１３２は、存在状態から不存在状態への変化を検出することなく第１の所定時間
が経過したと判断する場合（Ｓ１１０でＹＥＳ）、即ち、ヒトが立ち止まったと判断する
場合に、Ｓ１１２に進む。
【００３２】
Ｓ１１２では、ＣＰＵ１３２は、メイン照明８０〜８４を消灯状態から点灯状態に切り
替える。これにより、全ての照明８０〜９０が点灯状態になる。
【００３３】
次いで、Ｓ１２０では、ＣＰＵ１３２は、焦電センサ１００から供給されるセンサ値が
ＯＮからＯＦＦに変化することを監視する。ＣＰＵ１３２は、センサ値がＯＦＦに変化す
る場合（Ｓ１２０でＹＥＳ）、即ち、存在状態から不存在状態への変化を検出する場合に
、Ｓ１３０に進む。
【００３４】
Ｓ１３０では、ＣＰＵ１３２は、タイマ１３８のリセット及びスタートを実行して、タ
イマ１３８の値が第２の所定時間に到達することを監視する。即ち、ＣＰＵ１３２は、Ｓ
２０で存在状態から不存在状態への変化が検出されてから第２の所定時間が経過するまで
待機する。本実施形態では、第２の所定時間は３秒である。ただし、変形例では、第２の
所定時間は、３秒とは異なる時間（例えば１秒、５秒等）であってもよい。ＣＰＵ１３２
は、第２の所定時間が経過したと判断する場合（Ｓ１３０でＹＥＳ）に、Ｓ１３２に進む
。
【００３５】
Ｓ１３２では、ＣＰＵ１３２は、メイン照明８０〜８４を点灯状態から消灯状態に切り
替える。そして、Ｓ１３４では、ＣＰＵ１３２は、下部照明９０を点灯状態から消灯状態
に切り替える。Ｓ１３４が終了すると、図５の処理が終了する。
【００３６】
また、ＣＰＵ１３２は、第１の所定時間が経過する前に存在状態から不存在状態への変
化を検出する場合（Ｓ１５０でＹＥＳ）、即ち、ヒトが通過したと判断する場合に、Ｓ１
６０に進む。Ｓ１６０、Ｓ１６２は、それぞれ、Ｓ１３０、Ｓ１３４と同様である。Ｓ１
６２が終了すると、図５の処理が終了する。
【００３７】
（第１実施形態の効果）
洗面化粧台２は、各照明８０〜９０の状態が消灯状態である状況において、以下のよう
に動作する。即ち、不存在状態から存在状態への変化が検知されてから（図４のＳ３０で
ＹＥＳ）、存在状態から不存在状態への変化が検知されることなく、第１の所定時間が経
過する場合（図５のＳ１１０でＹＥＳ）に、メイン照明８０〜８４が点灯状態に切り替え
られる（Ｓ１１２）。即ち、ヒトが立ち止まって洗面化粧台２を利用する場合には、メイ
ン照明８０〜８４が点灯状態に切り替えられる。このために、ヒトが照明スイッチ１００
をＯＮ状態に切り替えなくても、メイン照明８０〜８４がヒトを照らすことができる。ヒ
トが照明スイッチ１００を操作せずに済むので、利便性が高い。一方、不存在状態から存
在状態への変化が検知されてから第１の所定時間が経過する前に、存在状態から不存在状
態への変化が検知される場合（Ｓ１５０でＹＥＳ）に、メイン照明８０〜８４が消灯状態
に維持される。即ち、ヒトが通過する場合には、メイン照明８０〜８４が消灯状態に維持
される。これにより、省電力を実現することができる。
【００３８】
また、不存在状態から存在状態への変化が検知される場合（図４のＳ３０でＹＥＳ）に
、第１の所定時間が経過する前に、下部照明９０が点灯状態に切り替えられる（図５のＳ
１００）。例えば、ヒトが立ち止まって洗面化粧台２を利用する場合には、ヒトが照明ス
イッチ１００をＯＮ状態に切り替えなくても、下部照明９０がヒトを照らすことができる
。ヒトが照明スイッチ１００を操作せずに済むので、利便性が高い。特に、第１の所定時
間が経過する前に、下部照明９０が点灯状態に切り替えられる。即ち、ヒトが立ち止まっ
たのか通過したのかに関する判断（即ちＳ１１０及びＳ１５０）が実行される前に、下部
照明９０が点灯状態に切り替えられる。このために、下部照明９０がヒトを迅速に照らす
ことができる。また、例えば、ヒトが通過する場合にも、下部照明９０が点灯状態に切り
替えられ、これにより、洗面化粧台２の周囲が明るくなる。この結果、ヒトが洗面化粧台
２の周囲を安全に移動することができ、利便性が高い。
【００３９】
上記の記載をまとめると、以下のとおりである。即ち、図６のテーブルに示されるよう
に、メイン照明８０〜８４は、ヒトが立ち止まる場合には点灯状態に切り替えられ、ヒト
が通過する場合には消灯状態に維持される。また、下部照明９０は、ヒトが立ち止まるの
か通過するのかに関わらず、点灯状態に切り替えられる。各照明８０〜９０がこのように
制御されるので、省電力と高い利便性とを実現することができる。
【００４０】
また、洗面化粧台２は、存在状態から不存在状態への変化が検知されてから第２の所定
時間が経過する場合（図５のＳ１３０でＹＥＳ）に、各照明８０〜９０を消灯状態に切り
替える（Ｓ１３２，Ｓ１３４，Ｓ１６２）。即ち、ヒトが洗面化粧台２の前方から移動し
ても、第２の所定時間が経過するまで、洗面化粧台２の周囲は明るい。これにより、ヒト
が洗面化粧台２の周囲を安全に移動することができ、利便性が向上する。
【００４１】
（対応関係）
メイン照明８０〜８４が、「第１の電気設備」及び「第１の照明」の一例である。下部
照明９０が、「第２の電気設備」及び「第２の照明」の一例である。焦電センサ１００、
センサ値が、それぞれ、「供給部」、「状態情報」の一例である。メイン照明８０〜８４
の消灯状態、点灯状態が、それぞれ、「第１の状態」、「第２の状態」の一例である。下
部照明９０の消灯状態、点灯状態が、それぞれ、「第３の状態」、「第４の状態」の一例
である。
【００４２】
（第２実施形態）
本実施形態では、図５の自動点灯制御処理に代えて、図７の処理が実行される。第１実
施形態との相違点は、図４のＳ３０で不存在状態から存在状態への変化が検知された直後
に、下部照明９０が点灯状態に切り替えられないことである。本実施形態では、ヒトが立
ち止まったのか通過したのかに関する判断が実行された後に、下部照明９０が点灯状態に
切り替えられる。なお、図７以降の図面では、図５と同じ処理については、図５と同じス
テップ番号が付されている。以下では、図５と異なる処理を中心に説明し、図５と同じ処
理については説明を省略することがある。
【００４３】
図７に示されるように、ＣＰＵ１３２は、図４のＳ３０で不存在状態から存在状態への
変化が検知された直後に下部照明９０を点灯状態に切り替えず、Ｓ１１０及びＳ１５０の
判断を実行する。そして、ＣＰＵ１３２は、ヒトが立ち止まったと判断する場合（Ｓ１１
０でＹＥＳ）に、Ｓ１１２において、メイン照明８０〜８４を点灯状態に切り替え、Ｓ２
００において、下部照明９０を点灯状態に切り替える。また、ＣＰＵ１３２は、ヒトが通
過したと判断する場合（Ｓ１１０でＹＥＳ）に、Ｓ２１０において、下部照明９０を点灯
状態に切り替える。
【００４４】
（第２実施形態の効果）
本実施形態によると、図６のテーブルに示されるように、メイン照明８０〜８４は、ヒ
トが立ち止まる場合には点灯状態に切り替えられ、ヒトが通過する場合には消灯状態に維
持される。また、下部照明９０は、ヒトが立ち止まるのか通過するのかに関わらず、点灯
状態に切り替えられる。このように各照明８０〜９０が制御されるので、省電力と利便性
の向上とを実現することができる。
【００４５】
（第３実施形態）
本実施形態では、図３に示されるように、メモリ１３４は、さらに、第１種の設定値１
４０を記憶する。第１種の設定値１４０は、ＯＮ及びＯＦＦのどちらかの値にヒト（即ち
ユーザ）によって設定される。「ＯＮ」は、ヒトが立ち止まる場合に、メイン照明８０〜
８４を点灯状態に切り替えるための値である。「ＯＦＦ」は、ヒトが立ち止まる場合に、
メイン照明８０〜８４を消灯状態に維持するための値である。
【００４６】
（自動点灯制御処理；図８）
本実施形態では、図５の自動点灯制御処理に代えて、図８の処理が実行される。第１実
施形態との相違点は、ヒトが立ち止まったと判断されても、第１種の設定値１４０がＯＦ
Ｆである場合には、メイン照明８０〜８４が消灯状態に維持されることである。
【００４７】
ＣＰＵ１３２は、ヒトが立ち止まったと判断する場合（Ｓ１１０でＹＥＳ）に、Ｓ３０
０において、メモリ１３４内の第１種の設定値１４０がＯＮであるのか否かを判断する。
ＣＰＵ１３２は、第１種の設定値１４０がＯＮであると判断する場合（Ｓ３００でＹＥＳ
）には、Ｓ１１２において、メイン照明８０〜８４を点灯状態に切り替える。一方、ＣＰ
Ｕ１３２は、第１種の設定値１４０がＯＦＦであると判断する場合（Ｓ３００でＮＯ）に
は、Ｓ１１２をスキップし、メイン照明８０〜８４を消灯状態に維持する。
【００４８】
また、ＣＰＵ１３２は、第２の所定時間が経過したと判断する場合（Ｓ１３０でＹＥＳ
）には、Ｓ３１０において、Ｓ１１２の処理が実行されたのか否か、即ち、メイン照明８
０〜８４が点灯状態であるのか否か、を判断する。ＣＰＵ１３２は、点灯状態であると判
断する場合（Ｓ３１０でＹＥＳ）には、Ｓ１３２において、メイン照明８０〜８４を消灯
状態に切り替える。一方、ＣＰＵ１３２は、消灯状態であると判断する場合（Ｓ３１０で
ＮＯ）には、Ｓ１３２をスキップしてＳ１３４に進む。
【００４９】
（第３実施形態の効果）
本実施形態でも、第１実施形態と同様の効果が得られる。また、図６のテーブルに示さ
れるように、ヒトが立ち止まる場合（Ｓ１１０でＹＥＳ）には、第１種の設定値１４０が
ＯＮであると（Ｓ３００でＹＥＳ）、メイン照明８０〜８４が点灯状態に切り替えられる
（Ｓ３１２）。ただし、第１種の設定値１４０の値がＯＦＦであると（Ｓ３００でＮＯ）
、メイン照明８０〜８４が消灯状態に維持される。従って、洗面化粧台２は、ヒト（即ち
ユーザ）の意図に応じて、メイン照明８０〜８４の状態を制御することができる。特に、
第１種の設定値１４０がＯＦＦである場合には、メイン照明８０〜８４が消灯状態に維持
されるので、省電力を実現することができる。本実施形態では、第１種の設定値１４０の
ＯＮ、ＯＦＦが、それぞれ、「第１の値」、「第２の値」の一例である。
【００５０】
（第４実施形態）
本実施形態では、図３に示されるように、メモリ１３４は、さらに、第２種の設定値１
４２を記憶する。第２種の設定値１４２は、ＯＮ及びＯＦＦのどちらかの値にヒトによっ
て設定される。「ＯＮ」は、不存在状態から存在状態への変化が検知される場合に、下部
照明９０を点灯状態に切り替えるための値である。「ＯＦＦ」は、不存在状態から存在状
態への変化が検知される場合に、下部照明９０を消灯状態に維持するための値である。
【００５１】
（自動点灯制御処理；図９）
本実施形態では、図５の自動点灯制御処理に代えて、図９の処理が実行される。第１実
施形態との相違点は、不存在状態から存在状態への変化が検知されても（図４のＳ３０で
ＹＥＳ）、第２種の設定値１４２がＯＦＦである場合には、下部照明９０が消灯状態に維
持されることである。
【００５２】
Ｓ４００では、ＣＰＵ１３２は、所定条件を満たすのか否かを判断する。本実施形態で
は、所定条件は、メモリ１３４内の第２種の設定値１４２がＯＮであることである。即ち
、Ｓ４００では、ＣＰＵ１３２は、第２種の設定値１４２がＯＮであるのか否かを判断す
る。ＣＰＵ１３２は、第２種の設定値１４２がＯＮであると判断する場合（Ｓ４００でＹ
ＥＳ）には、Ｓ１００において、下部照明９０を点灯状態に切り替える。一方、ＣＰＵ１
３２は、第２種の設定値１４２がＯＦＦであると判断する場合（Ｓ４００でＮＯ）には、
Ｓ１００をスキップし、下部照明９０を消灯状態に維持する。
【００５３】
また、ＣＰＵ１３２は、ヒトが立ち止まったと判断した（Ｓ１１０でＹＥＳ）後に、Ｓ
４１０において、Ｓ１００の処理が実行されたのか否か、即ち、下部照明９０が点灯状態
であるのか否か、を判断する。ＣＰＵ１３２は、消灯状態であると判断する場合（Ｓ４１
０でＮＯ）には、Ｓ４１２において、下部照明９０を点灯状態に切り替える。一方、ＣＰ
Ｕ１３２は、点灯状態であると判断する場合（Ｓ４１０でＹＥＳ）には、Ｓ４１２をスキ
ップしてＳ１２０に進む。
【００５４】
また、ＣＰＵ１３２は、ヒトが通過したと判断した（Ｓ１５０でＹＥＳ）後に、Ｓ４２
０において、Ｓ１００の処理が実行されたのか否か、即ち、下部照明９０が点灯状態であ
るのか否か、を判断する。ＣＰＵ１３２は、点灯状態であると判断する場合（Ｓ４２０で
ＹＥＳ）には、Ｓ１６０に進む。一方、ＣＰＵ１３２は、消灯状態であると判断する場合
（Ｓ４２０でＮＯ）には、Ｓ１６０及びＳ１６２をスキップして図９の処理を終了する。
【００５５】
（第４実施形態の効果）
本実施形態でも、第１実施形態と同様の効果が得られる。また、図６のテーブルに示さ
れるように、第２種の設定値１４２がＯＮである場合（Ｓ４００でＹＥＳ）には、ヒトが
立ち止まるのか通過するのかに関わらず、下部照明９０が点灯状態に切り替えられる（Ｓ
１００）。一方、第２種の設定値１４２がＯＦＦである場合（Ｓ４００でＮＯ）には、少
なくとも第１の所定時間が経過するまで下部照明９０が消灯状態に維持される。そして、
ヒトが立ち止まる場合（Ｓ１１０でＹＥＳ）には下部照明９０が点灯状態に切り替えられ
（Ｓ４１２）、ヒトが通過する場合（Ｓ１５０でＹＥＳ、Ｓ４２０でＮＯ）には下部照明
９０が消灯状態に維持される。従って、洗面化粧台２は、ヒト（即ちユーザ）の意図に応
じて、下部照明９０の状態を制御することができる。特に、第２種の設定値１４２がＯＦ
Ｆである場合には、少なくとも第１の所定時間が経過するまで下部照明９０が消灯状態に
維持されるので、省電力を実現することができる。本実施形態では、第２種の設定値１４
２のＯＮ、ＯＦＦが、それぞれ、「第３の値」、「第４の値」の一例である。
【００５６】
（第５実施形態）
本実施形態では、図３に示されるように、洗面化粧台２は、さらに、照度センサ１５０
を備える。照度センサ１５０は、例えば、本体５２（図１参照）の上部（例えば上部照明
８０の近傍）に配置される。照度センサ１５０は、洗面化粧台２の周囲の照度を検出して
、検出照度を制御部１３０に供給する。
【００５７】
（自動点灯制御処理；図９）
本実施形態では、図５の自動点灯制御処理に代えて、図９の処理が実行される。第１実
施形態との相違点は、不存在状態から存在状態への変化が検知されても（図４のＳ３０で
ＹＥＳ）、検出照度が所定照度以下である場合には、下部照明９０が消灯状態に維持され
ることである。
【００５８】
本実施形態では、Ｓ４００の所定条件は、検出照度が所定照度以下であることである。
即ち、Ｓ４００では、ＣＰＵ１３２は、検出照度が所定照度以下であるのか否かを判断す
る。ここで、所定照度は、ヒトが洗面化粧台２の周囲を安全に移動できる最低限の照度と
して予め決められた値である。ＣＰＵ１３２は、検出照度が所定照度以下であると判断す
る場合（Ｓ４００でＹＥＳ）には、Ｓ１００において、下部照明９０を点灯状態に切り替
える。一方、ＣＰＵ１３２は、検出照度が所定照度より高いと判断する場合（Ｓ４００で
ＮＯ）には、Ｓ１００をスキップし、下部照明９０を消灯状態に維持する。
【００５９】
（第５実施形態の効果）
本実施形態でも、第１実施形態と同様の効果が得られる。また、図６のテーブルに示さ
れるように、検出照度が低照度である場合（即ち所定照度以下である場合（Ｓ４００でＹ
ＥＳ））には、ヒトが立ち止まるのか通過するのかに関わらず、下部照明９０が点灯状態
に切り替えられる（Ｓ１００）。即ち、洗面化粧台２の周囲の照度が、ヒトが安全に移動
できる照度よりも低い場合には、下部照明９０が点灯状態に切り替えられる。これにより
、洗面化粧台２の周囲が明るくなるので、ヒトが洗面化粧台２の周囲を安全に移動するこ
とができる。一方、検出照度が高照度である場合（即ち所定照度よりも大きい場合（Ｓ４
００でＮＯ））には、少なくとも第１の所定時間が経過するまで下部照明９０が消灯状態
に維持される。即ち、洗面化粧台２の周囲の照度が、ヒトが安全に移動できる照度よりも
高い場合には、下部照明９０が消灯状態に維持される。これにより、省電力を実現するこ
とができる。
【００６０】
（第６実施形態）
本実施形態では、図３に示されるように、制御部１３０は、さらに、時計１６０を備え
る。
【００６１】
（自動点灯制御処理；図９）
本実施形態では、図５の自動点灯制御処理に代えて、図９の処理が実行される。第１実
施形態との相違点は、不存在状態から存在状態への変化が検知されても（図４のＳ３０で
ＹＥＳ）、時計１６０によって計時される現在時刻が昼間帯である場合には、下部照明９
０が消灯状態に維持されることである。
【００６２】
本実施形態では、所定条件は、現在時刻が夜間帯（例えば１８時〜６時）であることで
ある。即ち、Ｓ４００では、ＣＰＵ１３２は、時計１６０によって計時される現在時刻が
夜間帯であるのか否かを判断する。ＣＰＵ１３２は、現在時刻が夜間帯であると判断する
場合（Ｓ４００でＹＥＳ）には、Ｓ１００において、下部照明９０を点灯状態に切り替え
る。一方、ＣＰＵ１３２は、現在時刻が夜間帯でないと判断する場合（Ｓ４００でＮＯ）
、即ち、現在時刻が昼間帯（例えば６時〜１８時）であると判断する場合には、Ｓ１００
をスキップし、下部照明９０を消灯状態に維持する。
【００６３】
（第６実施形態の効果）
本実施形態でも、第１実施形態と同様の効果が得られる。また、図６のテーブルに示さ
れるように、現在時刻が夜間帯である場合（Ｓ４００でＹＥＳ）には、ヒトが立ち止まる
のか通過するのかに関わらず、下部照明９０が点灯状態に切り替えられる（Ｓ１００）。
夜間帯では、洗面化粧台２の周囲の照度が、ヒトが安全に移動できる照度よりも低いこと
が予想される。このような状況では、下部照明９０が点灯状態に切り替えられ、この結果
、洗面化粧台２の周囲が明るくなるので、ヒトが洗面化粧台２の周囲を安全に移動するこ
とができる。一方、現在時刻が昼間帯である場合（Ｓ４００でＮＯ）には、少なくとも第
１の所定時間が経過するまで下部照明９０が消灯状態に維持される。昼間帯では、洗面化
粧台２の周囲の照度が、ヒトが安全に移動できる照度よりも高いことが予想される。この
ような状況では、下部照明９０が消灯状態に維持される。これにより、省電力を実現する
ことができる。本実施形態では、夜間帯が「所定時間帯」の一例である。
【００６４】
（第７実施形態）
本実施形態では、図３に示されるように、洗面化粧台２は、中央ミラー７０に代えて、
ディスプレイモニター機能付ミラー１７０（以下では単に「ミラー１７０」と記載する）
を備える。ミラー１７０は、ミラー加工がなされたディスプレイであり、その一例は、ス
マートミラー（登録商標）である。ミラー１７０は、様々な画像を表示することができる
。当該画像は、メモリ１３４内に予め記憶されている画像であってもよいし、インターネ
ット上のサーバから取得された画像であってもよいし、スマートフォン等のユーザ端末か
ら取得された画像であってもよい。
【００６５】
ＣＰＵ１３２は、図示省略の電源からミラー１７０への電力供給を開始することによっ
て、ミラー１７０のディスプレイ機能を非起動状態から起動状態に切り替える。また、Ｃ
ＰＵ１３２は、電源からミラー１７０への電力供給を停止することによって、ミラー１７
０のディスプレイ機能を起動状態から非起動状態に切り替える。なお、以下では、ミラー
１７０のディスプレイ機能の非起動状態及び起動状態のことを、ミラー１７０の非起動状
態及び起動状態と簡単に記載する。
【００６６】
（各照明８０〜９０及びミラー１７０の制御）
続いて、各照明８０〜９０及びミラー１７０を制御するための処理の内容を説明する。
図示省略しているが、図４のＳ１２及びＳ１４では、ＣＰＵ１３２は、さらに、ミラー１
７０を非起動状態から起動状態に切り替える。また、Ｓ２２及びＳ２４では、ＣＰＵ１３
２は、さらに、ミラー１７０を起動状態から非起動状態に切り替える。
【００６７】
（自動点灯制御処理；図１０）
本実施形態では、図５の自動点灯制御処理に代えて、図１０の処理が実行される。本実
施形態では、図１０の処理において、全ての照明８０〜９０の状態が同期する。
【００６８】
Ｓ５００では、ＣＰＵ１３２は、全ての照明８０〜９０を消灯状態から点灯状態に切り
替える。Ｓ５１０では、ＣＰＵ１３２は、ミラー１７０を非起動状態から起動状態に切り
替える。Ｓ５２０では、ＣＰＵ１３２は、ミラー１７０を起動状態から非起動状態に切り
替える。Ｓ５３０及びＳ５４０では、ＣＰＵ１３２は、全ての照明８０〜９０を点灯状態
から消灯状態に切り替える。
【００６９】
（第７実施形態の効果）
図６のテーブルに示されるように、ミラー１７０は、ヒトが立ち止まる場合には起動状
態に切り替えられる。このために、ヒトが照明スイッチ１００をＯＮ状態に切り替えなく
ても、ミラー１７０が画像を表示することができる。ヒトが照明スイッチ１００を操作せ
ずに済むので、利便性が高い。また、ミラー１７０は、ヒトが通過する場合には非起動状
態に維持される。これにより、省電力を実現することができる。また、各照明８０〜９０
は、ヒトが立ち止まるのか通過するのかに関わらず、点灯状態に切り替えられる。例えば
、ヒトが立ち止まって洗面化粧台２を利用する場合には、ヒトが照明スイッチ１００をＯ
Ｎ状態に切り替えなくても、各照明８０〜９０がヒトを照らすことができる。ヒトが照明
スイッチ１００を操作せずに済むので、利便性が高い。また、例えば、ヒトが通過する場
合にも、各照明８０〜９０が点灯状態に切り替えられるので、ヒトが洗面化粧台２の周囲
を安全に移動することができる。本実施形態では、ミラー１７０、各照明８０〜９０が、
それぞれ、「第１の電気設備」、「第２の電気設備」の一例である。また、起動状態、非
起動状態が、それぞれ、「第１の状態」、「第２の状態」の一例である。
【００７０】
以上、具体的な実施形態を詳細に説明したが、これらは例示にすぎず、特許請求の範囲
を限定するものではない。特許請求の範囲に記載の技術には以上に例示した具体例を様々
に変形、変更したものが含まれる。上記の実施形態の変形例を以下に列挙する。
【００７１】
（変形例１）洗面化粧台２は、焦電センサ１００に代えて、他の人感センサを備えてもよ
い。例えば、赤外線、可視光、又は、超音波を照射するセンサが利用されてもよい。本変
形例では、当該センサが、「供給部」の一例である。また、カメラが利用されてもよい。
この場合、カメラは、洗面化粧台２の前方を撮影し、撮影済みの画像を制御部１３０に供
給する。そして、ＣＰＵ１３２は、当該画像を解析して、洗面化粧台２の前方の状態が存
在状態と不存在状態との間で変化することを検知する。本変形例では、カメラ、画像が、
それぞれ、「供給部」、「状態情報」の一例である。
【００７２】
（変形例２）第７実施形態において、ミラー１７０は、電力が供給されていない非起動状
態と、第１の電力が供給されている省電力状態と、第１の電力よりも大きい第２の電力が
供給されている起動状態と、を含む３個の状態のいずれかに制御されてもよい。この場合
、例えば、Ｓ５１０では、ＣＰＵ１３２は、ミラー１７０を省電力状態から起動状態に切
り替えてもよい。本変形例では、省電力状態、起動状態が、それぞれ、「第１の状態」、
「第２の状態」の一例である。
【００７３】
（変形例３）「第１の電気設備」は、メイン照明８０〜８４又はミラー１７０に限られず
、水を加熱するための電気温水器、各ミラー６０〜７０の曇り止めのための曇り止め装置
（例えばファン、ヒータ等）、ヒトの足元を暖めるための足元ヒータ、音楽を再生するた
めの再生装置等であってもよい。
【００７４】
（変形例４）「第２の電気設備」は、下部照明９０又は全ての照明８０〜９０に限られず
、足元ヒータ等であってもよい。この場合、例えば、足元ヒータは、電力が供給されてい
ない非起動状態と、第１の電力が供給されている省電力状態と、第１の電力よりも大きい
第２の電力が供給されている起動状態と、を含む３個の状態のいずれかに制御されてもよ
い。この場合、例えば、Ｓ５００では、ＣＰＵ１３２は、足元ヒータを省電力状態から起
動状態に切り替えてもよい。本変形例では、省電力状態、起動状態が、それぞれ、「第３
の状態」、「第４の状態」の一例である。
【００７５】
（変形例５）図５のＳ１３０の処理を省略して、Ｓ１２０でＹＥＳと判断された直後にＳ
１３２，Ｓ１３４が実行されてもよい。同様に、Ｓ１６０の処理を省略してもよい。即ち
、「第１（又は第２）の状態制御部」は、存在状態から不存在状態への変化が検知される
場合に、第２の所定時間が経過するまで待機することなく、第１（又は第２）の電気設備
の状態を第２（又は第４）の状態から第１（又は第３）の状態に切り替えてもよい。
【００７６】
（変形例６）上記の各実施形態を様々に組み合わせてもよい。例えば、洗面化粧台２は、
第３実施形態の第１種の設定値１４０を利用した制御と、第４実施形態の第２種の設定値
１４２を利用した制御と、第５実施形態の検出照度を利用した制御と、の全てを実行して
もよい。また、例えば、第３実施形態から第７実施形態のいずれかを第２実施形態に組み
合わせてもよい。
【００７７】
（変形例７）上記の各実施形態では、図４，図５，図７〜図１０の各処理がソフトウェア
（即ちプログラム１３６）によって実現されるが、これらの各処理のうちの少なくとも１
つが論理回路等のハードウェアによって実現されてもよい。
【００７８】
また、本明細書または図面に説明した技術要素は、単独であるいは各種の組合せによっ
て技術的有用性を発揮するものであり、出願時請求項記載の組合せに限定されるものでは
ない。また、本明細書または図面に例示した技術は複数目的を同時に達成するものであり
、そのうちの一つの目的を達成すること自体で技術的有用性を持つものである。
【符号の説明】
【００７９】
２：洗面化粧台、１０：洗面台、１２：洗面ボウル、１４：水栓、１６：ハンドル、５
０：ミラーキャビネット、５２：本体、６０，６２，７０：ミラー、８０：上部照明、８
２，８４：フェイスフル照明、９０：下部照明、１００：焦電センサ、１１０：照明スイ
ッチ、１３０：制御部、１３２：ＣＰＵ、１３４：メモリ、１３６：プログラム、１３８
：タイマ、１４０：第１種の設定値、１４２：第２種の設定値、１５０：照度センサ、１
６０：時計、１７０：ディスプレイモニター機能付ミラー
【図１】
2020146075.tif 000003
【図２】
2020146075.tif 000004
【図３】
2020146075.tif 000005
【図４】
2020146075.tif 000006
【図５】
2020146075.tif 000007
【図６】
2020146075.tif 000008
【図７】
2020146075.tif 000009
【図８】
2020146075.tif 000010
【図９】
2020146075.tif 000011
【図１０】
2020146075.tif 000012